Podtech/llm-jp-corpus-v4-ja_patent huggingface dataset:
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
強度の連続性が失われることにより形成された複数の線を含む４０ｇｓｍ以上の重量の湾曲したシート状ラッパーを含み、ラッパーがその曲面において視覚的に認識可能な不均一性を呈する喫煙品部材。
【請求項２】
前記ラッパーは、少なくとも４５、５０、５５、６０、７０、８０または９０ｇｓｍの重量を有することを特徴とする請求項１記載の喫煙品部材。
【請求項３】
ラッパーの厚さが５０μｍ〜１１５μｍの範囲内にあることを特徴とする請求項１または２記載の喫煙品部材。
【請求項４】
請求項１乃至３いずれか１項記載の喫煙品部材と、シート状ラッパーに包まれる湾曲した面を有するフィルターとタバコロッドの内少なくとも１つを含む喫煙品。
【請求項５】
フィルターは、プラグラッパーを含み、ラッパーはプラグラッパーとタバコロッドの少なくとも一部を覆ってこれらを接合することを特徴とする請求項４に記載の喫煙品。
【請求項６】
フィルターはシート材からなるプラグラッパーを含むことを特徴とする請求項４記載の喫煙品。
【請求項７】
喫煙品に４０ｇｓｍ以上の重量のシート状ラッパーを巻くことを含み、このラッパーは、強度の連続性が失われることにより形成された複数の線を含み、これによりラッパーが曲がり、曲面において視覚的に認識可能な不均一性を呈する喫煙品の製造方法。
【請求項８】
強度が途切れることによって形成される線を形成することを含む請求項７記載の方法。
【請求項９】
視認可能なパターンを画定する強度の連続性が失われることにより形成された複数の線を含むシート状ラッパー材を供することと、
喫煙品の周囲で丸めやすくするためにラッパーを弱化する巻き上げローラーをシート材が通過するようにすることと、  
シート状ラッパーを喫煙品に巻くこととを含み、前記巻き上げローラーは、ラッパーシート材のパターンに対応する巻き上げローラー表面パターンを含み、これらパターンが実質的に同期して回転するように構成されている、喫煙品の製造方法。
【請求項１０】
巻き上げローラーは自由に回転することができ、パターンが同期して回転しやすくなるように互いに係合することを特徴とする請求項９記載の方法。
【請求項１１】
巻き上げステーションと、
視認可能なパターンを画定するために強度の連続性が失われることにより形成された複数の線を含むシート状ラッパー材を巻き上げステーションに供給する供給構造と、
巻き上げステーションにある回転式巻き上げローラーと、このローラーは、喫煙品の周囲で丸めやすくするためにラッパーを弱化するように作動可能であり、このローラーは、ラッパーシート材のパターンに対応する巻き上げローラー表面パターンを含み、これらパターンが実質的に同期して回転するように構成されている、
巻き上げステーションからのシート材を喫煙品に巻く構造とを含む喫煙品の製造装置。
【請求項１２】
視認可能なパターンを画定するために強度の連続性が失われることにより形成された複数の線を含むシート状ラッパー材で作動する喫煙品の製造装置を構成する方法であって、この装置は、
巻き上げステーションと、シート状ラッパー材を巻き上げステーションに供給するための供給構造と、巻き上げステーションからのシート材を喫煙品に巻くための構造とを含み、前記方法は、
巻き上げステーションに回転式巻き上げローラーを設置することを含み、喫煙品の周囲で丸めやすくするためにラッパーを弱化するように作動可能であり、このローラーは、ラッパーシート材のパターンに対応する巻き上げローラー表面パターンを含み、これらパターンが実質的に同期して回転するように構成されている。
【請求項１３】
紙巻きタバコ製造機の巻き上げステーションで使用するための回転式巻き上げローラーであって、この巻き上げローラーは、喫煙品の周囲で丸めやすくするためにラッパーを弱化するように作動可能であり、このローラーは、ラッパーシート材のパターンに対応する巻き上げローラー表面パターンを含み、これらパターンが実質的に同期して回転するように構成されている。
【請求項１４】
強度が途切れる複数の線は弱化された線であることを特徴とする請求項１乃至３いずれか１項記載の喫煙品部材。
【請求項１５】
弱化された線はシート材の厚みに部分的に入れられた切れ込みであることを特徴とする請求項１乃至３いずれか１項記載の喫煙品部材。
【請求項１６】
強度が途切れることによって形成される線は、シート状ラッパーに刻面の列を画定することを特徴とする請求項１乃至３いずれか１項記載の喫煙品部材。
【請求項１７】
強度が途切れることによって形成される線は交わるまたは合わさって閉じた形状を有する刻面を画定することを特徴とする請求項１乃至３いずれか１項記載の喫煙品部材。
【請求項１８】
プラグラッパーとして請求項１乃至３いずれか１項記載の喫煙品部材を含むフィルターロッド。
【請求項１９】
請求項１８記載のフィルターロッドのセグメントとタバコロッドとを含み、ラッパーがプラグラッパーとタバコロッドの少なくとも一部を覆ってこれらを接合する喫煙品。
【請求項２０】
請求項１乃至３いずれか１項記載の喫煙品部材をフィルター材に巻いてフィルターロッドを形成することを含むフィルターの製造方法。
【請求項２１】
フィルターロッドをセグメントに切断することを含むことと、
フィルターロッドセグメントの少なくとも１つが一端でフィルターセグメントを囲むバンドで長手方向に延びたエンボス線を有することとを含むことを特徴とする請求項２０記載の方法。
【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
放射線不透過マーカーを管状ステントに適用する方法であって、
・管状ステントの壁を通る少なくとも１つの開口を有する管状ステントを形成するステップ；
・放射線不透過マーカーの一部を管状ステントの壁の開口の中に挿入するステップ；および
・管状ステントを熱処理して、放射線不透過マーカーの一部を管状ステントの壁の開口の中に保持するステップ
を含む方法。
【請求項２】
管状ステントの壁を通る少なくとも１つの開口が一対のスリットを含み、放射線不透過マーカーがスリットの内部に適合する大きさおよび構成とされた一対の壁部分を含む、請求項１に記載の方法。
【請求項３】
放射線不透過マーカーが、一対の壁部分を互いに連結する頂部分をさらに含む、請求項２に記載の方法。
【請求項４】
管状ステントがあるガラス転移温度を有するポリマーから形成され、熱処理するステップが管状ステントを該ガラス転移温度以上の温度に加熱するステップを含む、請求項１に記載の方法。
【請求項５】
熱処理するステップの後で管状ステントを該ガラス転移温度未満の温度に冷却するステップをさらに含む、請求項４に記載の方法。
【請求項６】
管状ステントが生体吸収性ポリマーを含む、請求項４に記載の方法。
【請求項７】
管状ステントがポリ（乳酸）ポリマーを含む、請求項５に記載の方法。
【請求項８】
熱処理するステップの前に、内部支持ロッドを管状ステントの中に設置するステップおよび管状ステントを外部金型の中に設置するステップをさらに含む、請求項１に記載の方法。
【請求項９】
外部金型が、少なくとも１つの半円筒状チャネルを有する下半部と、少なくとも１つの半円筒状チャネルを有する上半部とを有する、請求項１に記載の方法。
【請求項１０】
熱処理するステップによって、放射線不透過マーカーが管状ステントの壁の中に埋め込まれる、請求項１に記載の方法。
【請求項１１】
・主としてポリマー材料から構築されたステント壁と、ステント壁に形成された少なくとも１つのスリットとを有する管状ステント；および
・放射線不透過材料から構築され  実質的に平坦な頂部分と、頂部分から伸びる少なくとも１つの壁部分とから構成された放射線不透過マーカー
を備える装置であって、
放射線不透過マーカーの少なくとも１つの壁部分がステント壁に形成された少なくとも１つのスリットの中に延在し、少なくとも１つの壁部分が少なくとも１つのスリットを取り囲むポリマー材料によって把持されている装置。
【請求項１２】
ステント壁が生体吸収性ポリマー材料から構築されている、請求項１１に記載の装置。
【請求項１３】
放射線不透過マーカーの頂部分が管状ステントのステント壁の中に埋め込まれている、請求項１１に記載の装置。
【請求項１４】
少なくとも１つのスリットがステント壁に形成された一対の平行なスリットを含み、放射線不透過マーカーの少なくとも１つの壁部分が頂部分からほぼ直角に伸びる一対の平行な壁部分を含み；放射線不透過マーカーの一対の壁部分がステント壁に形成された一対のスリットの中に延在し、一対の壁部分が一対のスリットを取り囲むポリマー材料によって把持されている、請求項１１に記載の装置。
【請求項１５】
放射線不透過材料から構築され、実質的に平坦な頂部分と、頂部分からほぼ直角に伸びる一対の平行な壁部分とから構成された第２の放射線不透過マーカーをさらに含み、第２の放射線不透過マーカーの一対の壁部分がステント壁に形成された第２の一対のスリットの中に延在し、第２の放射線不透過マーカーの一対の壁部分が第２の一対のスリットを取り囲むポリマー材料によって把持されている、請求項１４に記載の装置。
【請求項１６】
放射線不透過マーカーが管状ステントの対向する端部に位置し、第２の放射線不透過マーカーと正反対の位置にある、請求項１５に記載の装置。
【請求項１７】
請求項１１に記載の装置であって、ステント壁が少なくとも４５℃のガラス転移温度（Ｔｇ）を有する生体吸収性ポリマー材料から構築され；少なくとも１つのスリットがステント壁に形成された一対の平行なスリットを含み、放射線不透過マーカーの少なくとも１つの壁部分が頂部分からほぼ直角に伸びる一対の平行な壁部分を含み；放射線不透過マーカーの一対の壁部分がステント壁に形成された一対のスリットの中に延在し、一対の壁部分が一対のスリットを取り囲むポリマー材料によって把持され；放射線不透過マーカーの頂部分が管状ステントのステント壁の中に埋め込まれている、装置。
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
トウ材料およびトリアセチンを含むフィルターセグメントであって、該フィルターセグメントはさらに、アミノ酸酢酸塩およびグリセリンを含む、前記フィルターセグメント。
【請求項２】
前記アミノ酸酢酸塩がリジン酢酸塩である、請求項1に記載のフィルターセグメント。
【請求項３】
前記アミノ酸酢酸塩の含有量が1mg〜15mgである、請求項1または請求項2に記載のフィルターセグメント。
【請求項４】
前記アミノ酸酢酸塩の含有量が4mg〜12mgである、請求項1〜3のいずれか１項に記載のフィルターセグメント。
【請求項５】
前記グリセリンの含有量が10mg〜25 mgである、請求項1〜4のいずれか１項に記載のフィルターセグメント。
【請求項６】
前記グリセリンの含有量が12mg〜20mgである、請求項5に記載のフィルターセグメント。
【請求項７】
前記フィルターセグメントの直径が0.5 mm〜3 mmである、請求項1〜6のいずれか１項に記載のフィルターセグメント。
【請求項８】
前記トウ材料が酢酸セルロースを含む、請求項1〜7のいずれか１項に記載のフィルターセグメント。
【請求項９】
請求項1〜8のいずれか１項に記載されているフィルターセグメントを備えた喫煙物品。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
Ｄｅｕｔｓｃｈｅ  Ｓａｍｍｌｕｎｇ  ｖｏｎ  Ｍｉｋｒｏｏｒｇａｎｉｓｍｅｎ  ｕｎｄ  Ｚｅｌｌｋｕｌｔｕｒｅｎに受託番号ＤＳＭ  ２６４５７で寄託されたＰｒｏｐｉｏｎｉｂａｃｔｅｒｉｕｍ  ｆｒｅｕｄｅｎｒｅｉｃｈｉｉ  ＣＨＣＣ１５４６０株及びそれに由来する変異株からなる群から選択される乳酸菌株。
【請求項２】
未発酵の対応する飲料と比較して増加したビタミンＢ１２、ビタミンＫ、葉酸、及びビオチンを含む発酵飲料の製造方法であって、
請求項１に記載の微生物で飲料を発酵させる工程を含む、
方法。
【請求項３】
前記発酵飲料が、１日当たりの推奨摂取量の約１倍から約２０倍のビタミンＢ１２、ビタミンＫ、葉酸、及びビオチンを含む、請求項２に記載の方法。
【請求項４】
前記飲料から前記微生物を除去する工程をさらに含む、請求項２又は３に記載の方法。
【請求項５】
前記発酵飲料が、フルーツジュース、野菜ジュース、ダイズ、麦芽、穀類、コーヒー、及び糖／水混合物からなる群から選択される、請求項２から４のいずれか１項に記載の方法。
【請求項６】
前記発酵飲料が前記フルーツジュースであり、前記フルーツジュースが、グレープフルーツ、サクランボ、ダイオウ、バナナ、パッションフルーツ、ライチ、ブドウ、リンゴ、オレンジ、マンゴー、プラム、プルーン、クランベリー、パイナップル、モモ、セイヨウナシ、アンズ、ブルーベリー、ラズベリー、イチゴ、ブラックベリー、ハックルベリー、ボイゼンベリー、クワ、グースベリー、プレイリーベリー、エルダーベリー、ローガンベリー、デューベリー、ザクロ、パパイヤ、レモン、ライム、タンジェリン、パッションフルーツ、キーウィ、カキ、スグリ、マルメロ、及びグアバ、並びにそれらの組み合わせからなる群から選択されるフルーツからのジュースである、請求項５に記載の方法。
【請求項７】
前記発酵飲料が、フルーツジュース約１質量％から約８０質量％を含む、請求項２から６のいずれか１項に記載の方法。
【請求項８】
ステビア（Stevia rebaudiana）抽出物、ステビオシド、アスパルテーム、サッカリン、及びスクラロースからなる群から好ましくは選択される非栄養性甘味料を添加する工程、及び／又は
スクロース、フルクトース、及びグルコースからなる群から好ましくは選択される栄養性甘味料を添加する工程、及び／又は
塩、食品グレード酸、着色料、保存料、アスコルビン酸、精力増強剤、及びビタミンからなる群から選択される添加物を添加する工程
を含む、請求項２から７のいずれか１項に記載の方法。
【請求項９】
請求項２から８のいずれか１項に記載の方法により調製される組成物。
【請求項１０】
外来のビタミンＢ１２、ビタミンＫ、葉酸、又はビオチンを添加することなしに、未発酵の対応する飲料と比較して増加したビタミンＢ１２、ビタミンＫ、葉酸、及びビオチンを含む発酵飲料組成物の調製のための、請求項１に記載の微生物の使用。
【請求項１１】
前記発酵飲料が、１日当たりの推奨摂取量の約１倍から約２０倍のビタミンＢ１２、ビタミンＫ、葉酸、及びビオチンを含む、請求項１０に記載の使用。
【請求項１２】
前記発酵飲料が、フルーツジュース、野菜ジュース、ダイズ、麦芽、穀類、コーヒー、及び糖／水混合物からなる群から選択され、好ましくは、前記発酵飲料が前記フルーツジュースである場合、前記フルーツジュースが、グレープフルーツ、サクランボ、ダイオウ、バナナ、パッションフルーツ、ライチ、ブドウ、リンゴ、オレンジ、マンゴー、プラム、プルーン、クランベリー、パイナップル、モモ、セイヨウナシ、アンズ、ブルーベリー、ラズベリー、イチゴ、ブラックベリー、ハックルベリー、ボイゼンベリー、クワ、グースベリー、プレイリーベリー、エルダーベリー、ローガンベリー、デューベリー、ザクロ、パパイヤ、レモン、ライム、タンジェリン、パッションフルーツ、キーウィ、カキ、スグリ、マルメロ、及びグアバ、並びにそれらの組み合わせからなる群から選択されるフルーツからのジュースである、請求項１０又は１１に記載の使用。
【請求項１３】
前記発酵飲料が、フルーツジュース約１質量％から約８０質量％を含む、請求項１０から１２のいずれか１項に記載の使用。
【請求項１４】
ステビア（Stevia rebaudiana）抽出物、ステビオシド、アスパルテーム、サッカリン、及びスクラロースからなる群から好ましくは選択される非栄養性甘味料を含む、及び／又は
スクロース、フルクトース、及びグルコースからなる群から好ましくは選択される栄養性甘味料を含む、及び／又は
塩、食品グレード酸、着色料、保存料、アスコルビン酸、精力増強剤、及びビタミンからなる群から選択される添加物を含む
請求項１０から１３のいずれか１項に記載の使用。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
回転継手を介して互いに接続可能であるベース本体及び蓋を持つトランスデューサハウジングを開閉するためのツールであって、
前記トランスデューサハウジングを受けるボウルを形成する基底部であって、前記ツールの軸方向周りで前記ツールの基底部に対する前記トランスデューサハウジングの前記ベース本体の回転を防止する、基底部と、
前記基底部から離れており、かつ前記基底部に付けることが可能な上部であって、前記上部が前記基底部に付けられるとき、前記軸方向に対して垂直な半径方向において前記基底部に対する前記上部の運動が機械的に防止される、上部とを有し、
前記基底部が、第１の係合部材を有し、前記上部は、前記基底部に付けられるとき、前記第１の係合部材と係合する第２の係合部材を有し、
前記上部が更に、前記軸方向周りで前記基底部に対して前記上部が回転運動するとき、前記回転継手を開けるか又は閉じるため、前記トランスデューサハウジングの前記蓋が前記トランスデューサハウジングの前記ベース本体に対して移動することをもたらすよう、前記トランスデューサハウジングの前記蓋の対応する接触領域に接触する駆動領域を持つ駆動ピンを有し、
前記第１の係合部材と前記第２の係合部材との係合が、前記駆動ピンの前記駆動領域と前記トランスデューサハウジングの前記蓋の前記接触領域との間の接触の間、前記軸方向に沿って前記基底部に対する前記駆動ピンを含む前記上部の運動を防止する、ツール。
【請求項２】
前記基底部が、内壁を有し、前記上部及び前記基底部が互いに結合されるとき、前記上部は、前記基底部の前記内壁に面する外壁を有する、請求項１に記載のツール。
【請求項３】
前記半径方向において前記基底部に対する前記上部の運動を防止するため、前記上部及び前記基底部が互いに結合されるとき、前記基底部の前記内壁の少なくとも一部が、前記上部の前記外壁の少なくとも一部にフィットする形状を形成する、請求項２に記載のツール。
【請求項４】
前記軸方向周りでの前記ツールの前記基底部に対する前記トランスデューサハウジングの前記ベース本体の回転が、前記ツールの前記基底部の前記内壁及び前記トランスデューサハウジングの外面の間でフィットする形状を通して防止される、請求項２に記載のツール。
【請求項５】
前記基底部の前記内壁が、円筒状にカーブする表面領域を持ち、前記内壁の部分は、前記円筒状形状から逸脱し、プラナ接触面を有し、前記プラナ接触面が、前記トランスデューサハウジングの対応する接触面と接触し、前記軸方向周りで前記ツールの前記基底部に対する前記トランスデューサハウジングの前記ベース本体の回転を防止する、請求項２に記載のツール。
【請求項６】
前記第２の係合部材が、前記上部におけるリセスであり、前記第１の係合部材は、前記上部及び前記基底部が互いに結合されるとき、前記リセスと係合するガイドピンである、請求項１に記載のツール。
【請求項７】
前記リセスが、挿入部及び隣接するロッキング部を有し、前記挿入部は、前記ロッキング部より大きく、前記ガイドピンが、前記挿入部に挿入されることができ、前記ガイドピンは、軸方向において前記ガイドピンを固定するため、前記軸方向周りで前記基底部に対して前記上部が回転運動するとき、前記ロッキング部に誘導されることができる、請求項６に記載のツール。
【請求項８】
前記基底部が、第３の係合部材を有し、前記上部は、前記上部及び前記基底部が互いに結合されるとき、前記第３の係合部材と係合する第４の係合部材を有する、請求項１に記載のツール。
【請求項９】
前記駆動ピンの前記駆動領域が、凹形状を持つ、請求項１に記載のツール。
【請求項１０】
前記駆動ピンの前記駆動領域が、前記軸方向周りでの前記基底部に対する前記上部の前記回転運動の間、前記接触領域と接触するとき、前記トランスデューサハウジングの前記蓋の前記接触領域にフィットする形状を確立するよう構成される、請求項１に記載のツール。
【請求項１１】
前記上部が、前記軸方向周りで前記基底部に対して前記上部が回転運動するとき、前記トランスデューサハウジングの前記回転継手を開けるための第１の駆動領域を持つ第１の駆動ピンと、前記軸方向周りで前記基底部に対して前記上部が反対方向に回転運動するとき、前記トランスデューサハウジングの前記回転継手を閉じるための第２の駆動領域を持つ第２の駆動ピンとを有する、請求項１に記載のツール。
【請求項１２】
前記第１の駆動ピン及び前記第２の駆動ピンが、前記上部の対向側に構成され、前記第１の駆動領域及び前記第２の駆動領域が反対方向において面する、請求項１１に記載のツール。
【請求項１３】
請求項１乃至１２のいずれかに記載のツールと、
回転継手を介して互いに接続可能であるベース本体及び蓋を持つトランスデューサハウジングとを有し、前記蓋が、前記トランスデューサハウジングを開けるか又は閉じるために前記ツールの駆動ピンにより接触されるよう構成される接触領域を有する、キット。
【請求項１４】
トランスデューサハウジングであって、
ベース本体と、
蓋とを有し、
前記ベース本体及び前記蓋が、回転継手を介して互いに接続可能であり、
前記蓋は、軸方向周りで前記ベース本体に対して前記蓋が回転するとき、前記トランスデューサハウジングを開けるか又は閉じるためにツールの駆動ピンにより接触されるよう構成される接触領域を有し、一方、前記回転の間、前記軸方向に沿った前記蓋の移動が防止され、
前記ベース本体が、前記軸方向周りで前記ツールの前記基底部に対する前記ベース本体の回転を防止するよう前記ツールの基底部に適合される形状を持つ、トランスデューサハウジング。
【請求項１５】
前記回転継手が、着脱可能な差し込みピンマウントである、請求項１４に記載のトランスデューサハウジング。
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
車輪付き輸送用フレームと、
前記フレーム上に取り付けられ、放射線源に連結された固定端部と、前記固定端部に対向するよう構成された後退可能端部と、を有するＣ字形状支持アームであって、前記後退可能端部は撮影のために前記フレームから外向きに伸長したとき撮影検出器を着座させるよう構成され、前記放射線源は前記後退可能端部に向かって放射線ビームを放出するために個別的に通電可能である２つ以上の放射線源を有し、前記撮影検出器は、前記支持アームが後退位置にある状態でフリースタンド式操作のために前記後退可能端部から着脱可能である、Ｃ字形状支持アームと、
前記２つ以上の放射線源のそれぞれからの前記放射線ビームを同一の光路に沿って整列させるよう構成された切り替え用アクチュエータと、
通電された放射線源の近位における温度を示す信号を提供する少なくとも１つの放射線源温度センサ要素と、
前記少なくとも１つの放射線源センサ要素からの前記信号を監視すること、および前記監視される信号にしたがって前記２つ以上の放射線源の少なくとも通電または整列を制御することを行うプロセッサであって、前記撮影検出器、および取得された画像を表示するための１つまたは複数のディスプレイと信号通信するプロセッサと、
を含む、Ｘ線透視撮影用のポータブル型ラジオグラフィ撮影装置。
【請求項２】
被術者に向かって、かつフリースタンド型撮影検出器に対して、誘導される放射線ビームの形状を画成するための方法であって、
ａ）放射線源に対する前記撮影検出器の前記位置および配向を検出することと、
ｂ）前記検出された撮影検出器位置にしたがって前記検出器内の所定エリアに入射するよう前記放射線ビームを成形するために、前記ビームの前記経路に存在するアパーチャを調節することと、
ｃ）前記成形された放射線ビームを放出するために、前記放射線源を通電することと、
ｄ）前記撮影検出器から前記被術者に関する画像データを取得することと、
を含む、方法。
【請求項３】
フレーム上に取り付けられ、検出器に向かって放射線ビームを放出するために個別に通電可能な２つ以上の放射線源を有する放射線源アレイに連結された第１端部を有する、支持アームと、
対応する放射線ビームを提供するために、常に前記２つ以上の放射線源からの前記焦点スポットを配置するよう動作する切り替え用アクチュエータと、
前記通電された放射線源の近位における温度を示す信号を提供する少なくとも１つの放射線源温度センサ要素と、
前記少なくとも１つの放射線源センサ要素からの前記信号を監視し、前記監視される信号にしたがって前記２つ以上の放射線源の少なくとも作動を制御する、プロセッサと、
を含む、ポータブル型ラジオグラフィ撮影装置。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
外科用器具（７，７’，７’’）の再処理を行う再処理装置（２）に用いられるアダプタ装置（３，３’，３’’）であって、
前記アダプタ装置（３，３’，３’’）は、入口側（１６，１６’，１６’’）には前記再処理装置（２）の連結装置（８，８’，８’’）に接続するための少なくとも１つの第１の流体用装着部品が設けられ、出口側（１７，１７’，１７’’）には前記外科用器具（７，７’，７’’）に接続する機能を有し、かつ、形状が前記外科用器具（７，７’，７’’）の装着部（１８）に適合するように構成された少なくとも１つの第２の流体用装着部品（１３）が設けられており、
前記アダプタ装置（３，３’，３’’）が、前記再処理装置（２）によって検出可能なアダプタ識別特徴部（４，４’，４’’）を有することを特徴とする、アダプタ装置（３，３’，３’’）。
【請求項２】
前記アダプタ装置（３，３’，３’’）の前記少なくとも１つの第２の流体用装着部品（１３）の端部が、アダプタ装置の外科用器具に対する一意的な割り当てを行うために、１種類の外科用器具（７，７’，７’’）とのみ適合することを特徴とする、請求項１に記載のアダプタ装置（３，３’，３’’）。
【請求項３】
前記アダプタ識別特徴部（４，４’，４’’）は、ＲＦＩＤ応答器、バーコード、又は磁気コードを備えていることを特徴とする、請求項１に記載のアダプタ装置（３，３’，３’’）。
【請求項４】
前記外科用器具（７，７’，７’’）は内視鏡であることを特徴とする、請求項１に記載のアダプタ装置（３，３’，３’’）。
【請求項５】
外科用器具（７，７’，７’’）の再処理を行う再処理装置（２）と、アダプタ装置（３，３’，３’’）とを有する再処理システム（１）であって、
前記再処理装置（２）は、請求項１〜４のいずれか一項に記載の前記アダプタ装置（３，３’，３’’）に接続するための連結装置（８，８’，８’’）を有し、前記再処理装置（２）には、前記再処理装置（２）に接続されたアダプタ装置（３，３’，３’’）について、前記アダプタ装置（３，３’，３’’）の前記アダプタ識別特徴部（４，４’，４’’）を検出する検出装置（６，６’，６’’）がさらに設けられる、再処理システム（１）。
【請求項６】
前記外科用器具（７，７’，７’’）は内視鏡であることを特徴とする、請求項５に記載の再処理システム（１）。
【請求項７】
ＲＦＩＤ読取装置（６，６’，６’’）、バーコード読取装置、及び／又は磁場検出装置が設けられていることを特徴とする、請求項５に記載の再処理システム（１）。
【請求項８】
複数の連結装置（８，８’，８’’）が設けられており、その各々がアダプタ装置（３，３’，３’’）、又は複数のアダプタ装置（３，３’，３’’）に接続可能であるか、又は接続されていることを特徴とする、請求項５〜７のいずれか一項に記載の再処理システム（１）。
【請求項９】
前記再処理装置（２）には、前記再処理装置（２）内に設けられた各アダプタ装置（３，３’，３’’）のために、制御又は調節可能なポンプ（１０，１０’，１０’’）が設けられていることを特徴とする、請求項５〜８のいずれか１項に記載の再処理システム（１）。
【請求項１０】
前記再処理装置（２）内で外科用器具（７，７’，７’’）を支持するためにかご状容器（１５，１５’，１５’’）が設けられており、前記かご状容器（１５，１５’，１５’’）が、前記再処理装置（２）によって検出可能なかご状容器識別特徴部（５，５’，５’’）を有することを特徴とする、請求項５〜８のいずれか１項に記載の再処理システム（１）。
【請求項１１】
前記かご状容器識別特徴部（５，５’，５’’）が、前記再処理装置（２）の前記検出装置（６，６’，６’’）によって検出可能であることを特徴とする、請求項１０に記載の再処理システム（１）。
【請求項１２】
前記かご状容器識別特徴部（５，５’，５’’）はＲＦＩＤ応答器、バーコード、又は磁気コードを備えていることを特徴とする、請求項１０に記載の再処理システム（１）。
【請求項１３】
請求項１〜４のいずれか一項に記載のアダプタ装置（３，３’，３’’）を少なくとも１つ備える、請求項５〜１２のいずれか１項に記載の再処理システム（１）を作動させる方法であって、
前記アダプタ装置（３，３’，３’’）に外科用器具（７，７’，７’’）を接続する工程と、
前記再処理装置（２）に設けられた検出装置（６，６’，６’’）によって前記アダプタ装置（３，３’，３’’）を検出する工程と、
前記アダプタ装置（３，３’，３’’）をその入口側（１６，１６’，１６’’）で前記再処理装置（２）に接続する工程と、
前記アダプタ装置（３，３’，３’’）の検出に応じて、前記再処理装置（２）の制御装置又は調節装置（１１）によって流体圧を設定する工程と
を含む方法。
【請求項１４】
前記外科用器具（７，７’，７’’）の少なくとも１つのチャネルを、設定された前記流体圧の流体を用いて洗浄することを特徴とする、請求項１３に記載の方法。
【請求項１５】
前記再処理装置（２）に複数のアダプタ装置（３，３’，３’’）が接続され、各アダプタ装置（３，３’，３’’）に対して個別の流体圧が設定されることを特徴とする、請求項１３又は１４に記載の方法。
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
非オブジェクト指向のアプリケーションをオブジェクト指向のプラットフォーム（１００）へ移行させるための方法であって、前記方法は：
前記非オブジェクト指向のアプリケーションを受信すること；
前記非オブジェクト指向のアプリケーションを前記非オブジェクト指向のアプリケーションの要素にパースすること；
前記要素の設計構造マトリックス（ＤＳＭ）表現（１１０）を生成すること；
前記ＤＳＭ表現（１１０）に基づいて、最終オブジェクトモデル（１２６）を生成すること；及び
コンピュータ（１１００）によって、前記最終オブジェクトモデル（１２６）をオブジェクト指向の開発環境のコードスケルトン表現（１２８）にマッピングすることを含み、
前記ＤＳＭ表現（１１０）に基づいて、前記最終オブジェクトモデル（１２６）を生成することは：
前記ＤＳＭ表現（１１０）上で構成要素ベースの分割を実行することによって、前記ＤＳＭ表現（１１０）の中の複数の区分を識別すること；
前記ＤＳＭ表現（１１０）上でプロバイダー近接クラスタリングを実行することによって、前記ＤＳＭ表現（１１０）の中の複数のクラスタを識別すること；
前記複数の区分及び前記複数のクラスタに基づいて、目標システムオブジェクトモデルを生成すること；
前記複数のクラスタの群を統合することによって、前記目標システムオブジェクトモデルの中の複数のパッケージを識別すること；及び
前記目標システムオブジェクトモデルの中で識別された前記複数のパッケージに基づいて、前記最終オブジェクトモデル（１２６）を生成することを含む、方法。
【請求項２】
前記非オブジェクト指向のアプリケーションを受信することは、ＦＯＲＴＲＡＮアプリケーション（１１２）を受信することを含む、請求項１に記載の方法。
【請求項３】
前記非オブジェクト指向のアプリケーションを要素にパースすることは：
前記ＦＯＲＴＲＡＮアプリケーション（１１２）を、ＦＯＲＴＲＡＮモジュール、ソースファイル、サブルーチン、機能、共通ブロック、及び変数のうちの少なくとも１つにパースすることを含む、請求項２に記載の方法。
【請求項４】
前記要素の前記ＤＳＭ表現（１１０）を生成することは：
前記要素の順序に対応する複数の行、前記要素の前記順序に対応する複数の列、及び複数のセルを含む前記ＤＳＭ表現（１１０）を生成することを含み、前記複数のセルの各々は、前記複数の行のうちの１つ及び前記複数の列のうちの１つに対応する、請求項１に記載の方法。
【請求項５】
前記複数のセルの中のセルに対応する第１の要素が、前記セルに対応する第２の要素との依存関係を有している場合、前記複数のセルの中の前記セルを強調することをさらに含む、請求項４に記載の方法。
【請求項６】
前記セルに対応する前記第１の要素が前記セルに対応する前記第２の要素との前記依存関係を有している場合、前記複数のセルの中の前記セルを強調することは：
前記第１の要素が前記第２の要素を使用する場合、前記複数のセルの中の前記セルを強調することを含む、請求項５に記載の方法。
【請求項７】
前記セルに対応する前記第１の要素が前記セルに対応する前記第２の要素との前記依存関係を有している場合、前記複数のセルの中の前記セルを強調することは：
前記第１の要素が前記第２の要素を含む場合、前記複数のセルの中の前記セルを強調することを含む、請求項５に記載の方法。
【請求項８】
前記ＤＳＭ表現（１１０）の中の前記複数の区分を識別することは：
前記非オブジェクト指向のアプリケーションのトップレベルのプログラムインターフェースを表す上位層、前記非オブジェクト指向のアプリケーションのプログラム論理を表す中間層、並びに前記ＤＳＭ表現（１１０）の中の前記非オブジェクト指向のアプリケーションの、機能、共通ブロック、及びサブルーチンを表す下位層を識別することを含む、請求項１に記載の方法。
【請求項９】
前記ＤＳＭ表現（１１０）上でプロバイダー近接クラスタリングを実行することによって、前記ＤＳＭ表現（１１０）の中の前記複数のクラスタを識別することは：
同じ列の上の他の要素との依存関係を有する１以上の列の下の前記要素の群をクラスタリングすることを含む、請求項１に記載の方法。
【請求項１０】
非オブジェクト指向のアプリケーションをオブジェクト指向のプラットフォームへ移行させるためのシステムであって、前記システムは：
プロセッサ；
前記プロセッサに通信可能に結合されるメモリ；並びに
前記メモリから前記プロセッサの中で実行されるプログラムモジュールであって、前記プロセッサによって実行される場合に、前記プロセッサに：
ＦＯＲＴＲＡＮアプリケーション（１１２）を受信させ；
前記ＦＯＲＴＲＡＮアプリケーション（１１２）を、ＦＯＲＴＲＡＮモジュール、ソースファイル、サブルーチン、機能、共通ブロック、及び変数を含む要素へパースさせ；
前記要素の設計構造マトリックス（ＤＳＭ）表現（１１０）を生成させ；
前記ＤＳＭ表現に基づいて、最終オブジェクトモデル（１２６）を生成させ；及び
前記最終オブジェクトモデル（１２６）をオブジェクト指向の開発環境のコードスケルトン表現（１２８）にマッピングさせる、プログラムモジュールを含み、
前記ＤＳＭ表現（１１０）に基づいて前記最終オブジェクトモデル（１２６）を生成させるために、前記プログラムモジュールは、前記プロセッサによって実行される場合に、前記プロセッサに：
前記ＤＳＭ表現（１１０）上で構成要素ベースの分割を実行することによって、前記ＤＳＭ表現（１１０）の中の複数の区分を識別させ；
前記ＤＳＭ表現（１１０）上でプロバイダー近接クラスタリングを実行することによって、前記ＤＳＭ表現（１１０）の中の複数のクラスタを識別させ；
前記複数の区分及び前記複数のクラスタに基づいて、目標システムオブジェクトモデルを生成させ；
前記複数のクラスタの群を統合することによって、前記目標システムオブジェクトモデルの中の複数のパッケージを識別させ；及び
前記目標システムオブジェクトモデルの中で識別された前記複数のパッケージに基づいて、前記最終オブジェクトモデル（１２６）を生成させる、システム。
【手続補正書】
【提出日】平成28年8月16日(2016.8.16)
【手続補正１】
【補正対象書類名】特許請求の範囲
【補正対象項目名】全文
【補正方法】変更
【補正の内容】
【特許請求の範囲】
【請求項１】
タッチ感知ディスプレイデバイスであって、
フレーム構造と、
前記フレーム構造に設置され、電子デバイスからの情報を表示するように構成された第１のパネルと、
前記第１のパネルに取り外し可能に固定され、前記第１のパネルを覆うように構成された透明な第２のパネルと、
前記透明な第２のパネルが前記第１のパネルに取り外し可能に固定されるとき、前記透明な第２のパネルは、少なくとも１つの紫外または近紫外光ユニットを覆うように前記第１のパネルと隣り合った前記フレーム構造のフロント面に設置された、前記少なくとも１つの紫外または近紫外光ユニットと、ここにおいて、前記少なくとも１つの紫外または近紫外光ユニットは、前記透明な第２のパネルの端にＵＶ光を提供するように構成される、
前記透明な第２のパネル上になされる蛍光マーキングの前記第１および第２のパネルを通して取り込まれた画像をキャプチャするように構成された、前記第１および第２のパネルの裏側に設置されたカメラと
を備える、ディスプレイ。
【請求項２】
前記第２のパネルは、ベゼルレスガラスを備える、請求項１に記載のディスプレイ。
【請求項３】
前記第２のパネルは、複数の磁石によって前記第１のパネルに取り外し可能に固定される、請求項１に記載のディスプレイ。
【請求項４】
前記フレーム構造に結合され、前記第２のパネル上のユーザタッチの位置を決定するように構成された少なくとも１つの圧力センサをさらに備える、請求項１に記載のディスプレイ。
【請求項５】
前記少なくとも１つの紫外または近紫外光ユニットは、前記第２のパネル上のタッチイベントに応答してオンにされるように構成される、請求項４に記載のディスプレイ。
【請求項６】
前記カメラは、前記第１および第２のパネルの裏側の前記フレーム構造に結合される、請求項１に記載のディスプレイ。
【請求項７】
タッチ感知ディスプレイデバイス上のテキスト入力をキャプチャするためのシステムであって、
電子デバイスからの情報を表示するように構成された第１のパネルと、前記第１のパネルに取り外し可能に固定され、前記第１のパネルを覆うように構成された透明な第２のパネルと、前記透明な第２のパネルが前記第１のパネルに取り外し可能に固定されるとき、前記透明な第２のパネルは、少なくとも１つの紫外または近紫外光ユニットを覆うように前記第１のパネルと隣り合ったフレーム構造のフロント面に設置された、前記少なくとも１つの紫外または近紫外光ユニットと、ここにおいて、前記少なくとも１つの紫外または近紫外光ユニットは、前記透明な第２のパネルの端にＵＶ光を提供するように構成される、前記透明な第２のパネル上になされる蛍光マーキングの画像をキャプチャするように構成された、前記第１および第２のパネルの裏側に設置されたカメラと、ここにおいて、前記画像は、前記第１および第２のパネルを通して取り込まれる、からなるタッチ感知ディスプレイデバイスと、
前記デバイスがテキスト入力モードに入るとき、前記少なくとも１つの紫外または近紫外光ユニットをアクティベートし、
前記タッチ感知ディスプレイデバイスの前記第２のパネル上になされる前記蛍光マーキングの１つまたは複数の画像をキャプチャし、
前記デバイスがテキスト入力モードを終了するとき、前記少なくとも１つの紫外または近紫外光ユニットをデアクティベートし、
前記蛍光マーキングの前記画像をメモリ位置に記憶する
ように構成された制御モジュールと
を備える、システム。
【請求項８】
少なくとも１つの圧力センサをさらに備え、前記制御モジュールは、前記第２のパネル上のユーザタッチイベントにおける情報を含むセンサ信号を取得することによって、前記少なくとも１つの圧力センサからの入力を検出するようにさらに構成される、請求項７に記載のシステム。
【請求項９】
前記制御モジュールは、前記センサ信号からの前記ユーザタッチイベントの位置座標を決定することによって、前記第２のパネル上でユーザのタッチの場所を決定するようにさらに構成される、請求項８に記載のシステム。
【請求項１０】
タッチ感知ディスプレイデバイスであって、
前記デバイスのフロント面に紫外または近紫外光ユニットを装着するための手段と、
前記デバイスがテキスト入力モードに入るとき、紫外または近紫外光を提供するための手段と、
前記デバイスがテキスト入力モードに入るとき、前記紫外または近紫外光ユニットをアクティベートするための手段と、
透明な第２のパネル上になされる蛍光マーキングの１つまたは複数の画像をキャプチャするための手段と、ここにおいて、前記１つまたは複数の画像は、タッチスクリーンを通して取り込まれる、
前記デバイスがテキスト入力モードを終了するとき、前記紫外光ユニットをデアクティベートし、蛍光マーキングの画像のキャプチャを中止するための手段と
を備える、デバイス。
【請求項１１】
１つまたは複数の画像をキャプチャするための前記手段は、カメラを備える、請求項１０に記載のデバイス。
【請求項１２】
紫外または近紫外光を提供するための前記手段は、前記タッチスクリーンを通して光を照射するように構成された、１つまたは複数の紫外または近紫外光源を備える、請求項１０に記載のデバイス。
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
カスタマイズ可能なクエリテキスト、データセット、階層データリンク、利用可能レポートフィールド、およびデータ検索パラメータにより、レポート生成のためのデータ構造化スキーマを作り出し、ストレージに保存するステップと、
フィールドの表示およびそれ用に使用しうるフィルタを定義するデフォルトデータ構造化設定であって、該設定の一部はユーザによる変更が「可能である」とマーキングされているデフォルトデータ構造化設定を指定し、ストレージに保存するステップと、
特定のフィールドの表示およびそれ用のフィルタを定義するユーザ設定を指定するステップと、
前記デフォルト設定と前記ユーザ設定とを組み合わせるステップと、
前記作り出したデータ構造化スキーマおよび前記組み合わせたデータ構造化設定に従ってレポートテンプレートを生成するステップと、
前記テンプレートに基づいてレポートを生成するステップと
を含む、自動レポート生成方法。
【請求項２】
上記のデータは、スクリプトオブジェクトから取得される、請求項１に記載の方法。
【請求項３】
前記データ記述は、複数データセットからのデータの共用体を含む、請求項１に記載の方法。
【請求項４】
ネスト化された構造化スキームが記述される、請求項１に記載の方法。
【請求項５】
レポートの生成後に、ユーザが得られたレポートから直接ユーザ構造化設定を変更でき、これにより、新たなレポート、特に追加のフィールドおよび／またはフィルタを含むレポートが生成される、請求項１に記載の方法。
【請求項６】
前記構造化スキームの前記カスタマイズは、前記レポートにおいて、特定のフィールドを表示するステップを含む、請求項１に記載の方法。
【請求項７】
レポートテンプレートの構造化スキーマ設定のバリエーションが保存される、請求項１に記載の方法。
【請求項８】
参照フィールドの従属フィールドが使用される、請求項１に記載の方法。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
延伸装置内でガラスリボンに印加される牽引力を管理する方法であって、
前記ガラスリボンの前方側に前方側切り株状ローラで前方側牽引力を印加するステップ、
前記前方側切り株状ローラに対向して前記ガラスリボンの後方側に接触する、後方側切り株状ローラで、前記ガラスリボンに後方側牽引力を印加するステップ、
前記前方側切り株状ローラによって前記ガラスリボンに印加される前方側駆動トルクを示す前方側瞬間駆動トルク信号を、少なくとも１つの電子制御装置で受信するステップであって、前記前方側瞬間駆動トルク信号が、前記前方側切り株状ローラに連結された前方側モータに導かれる電流に基づく、ステップ、
前記後方側切り株状ローラによって前記ガラスリボンに印加される後方側駆動トルクを示す後方側瞬間駆動トルク信号を、前記少なくとも１つの電子制御装置で受信するステップであって、前記前方側瞬間駆動トルク信号が、前記前方側切り株状ローラに連結された前方側モータに導かれる電流に基づく、ステップ、
前記前方側切り株状ローラの少なくとも１回転の第１期間に対応する、前記ガラスリボンに印加される前方側平均牽引力を、前記少なくとも１つの電子制御装置で自動的に算出するステップ、
前記後方側切り株状ローラの少なくとも１回転の第２期間に対応する、前記ガラスリボンに印加される後方側平均牽引力を、前記少なくとも１つの電子制御装置で自動的に算出するステップ、
前記前方側平均牽引力を前記後方側平均牽引力と比較して、前記前方側平均牽引力と前記後方側平均牽引力との間の牽引力の差を確立するステップ、および、
前記前方側牽引力または前記後方側牽引力の１以上を変更して、前記前方側平均牽引力と前記後方側平均牽引力との間の前記牽引力の差を調節するステップ、
を含むことを特徴とする方法。
【請求項２】
前記前方側平均牽引力および前記後方側平均牽引力をグラフで表示するステップをさらに含むことを特徴とする請求項１記載の方法。
【請求項３】
前記ガラスリボンに印加される前記前方側平均牽引力が、前記前方側切り株状ローラの実際の直径を示す前方側切り株状ローラ直径変数と、前記前方側瞬間駆動トルク信号とに基づいて算出されることを特徴とする請求項１または２記載の方法。
【請求項４】
前記前方側切り株状ローラ直径変数を変更して前記前方側切り株状ローラの前方側駆動スピードを調節するステップをさらに含むことを特徴とする請求項３記載の方法。
【請求項５】
前記ガラスリボンの前記後方側瞬間牽引力が、前記後方側切り株状ローラの実際の直径を示す後方側切り株状ローラ直径変数と、前記後方側瞬間駆動トルク信号とに基づいて算出されることを特徴とする請求項１から４いずれか１項記載の方法。
【請求項６】
前記後方側切り株状ローラ直径変数を変更して前記後方側切り株状ローラの後方側駆動スピードを調節するステップをさらに含むことを特徴とする請求項５記載の方法。
【請求項７】
前記前方側切り株状ローラの前方側駆動スピードまたは前記後方側切り株状ローラの後方側駆動スピードのうちの少なくとも１つを変更して、前記ガラスリボンの厚さを制御するステップをさらに含む請求項１から６いずれか１項記載の方法。
【請求項８】
前記前方側切り株状ローラの前方側駆動スピードおよび前記前方側切り株状ローラ直径変数、または、
前記後方側切り株状ローラの後方側駆動スピードおよび前記後方側切り株状ローラ直径変数、
のうちの少なくとも１つに基づいて、前記ガラスリボンの固有の直線供給速度を前記少なくとも１つの自動制御装置で算出するステップをさらに含むことを特徴とする請求項１から７いずれか１項記載の方法。
【請求項９】
前記ガラスリボンの付帯的な直線供給速度を前記少なくとも１つの電子制御装置で受信するステップ、および
前記ガラスリボンの固有の直線供給速度を前記ガラスリボンの付帯的な直線供給速度と比較するステップ、
をさらに含むことを特徴とする請求項８記載の方法。
【請求項１０】
前記ガラスリボンを切断するステップをさらに含み、前記ガラスリボンの付帯的な直線供給速度を、前記ガラスリボンから切断された前記ガラスシートの長さに基づいて前記少なくとも１つの電子制御装置で算出することを特徴とする請求項９記載の方法。
【請求項１１】
前記付帯的な直線供給速度を、前記ガラスリボンが前記延伸装置内を平行移動するときに前記ガラスリボンに接触するように位置付けられた前記少なくとも１つの切り株状スレーブローラの回転速度に基づいて、前記少なくとも１つの電子制御装置で算出することを特徴とする請求項９記載の方法。
【請求項１２】
固有の直線供給速度で動いている前記ガラスリボンを、横断するように同期化された罫書きホイールで、ガラスリボンに罫書きするステップ、および
前記罫書きホイールによる前記ガラスリボンの罫書きが前記ガラスリボンに下方延伸方向に力を印加するかどうかを、前記少なくとも１つの制御装置で判定するステップであって、前記罫書きホイールによって前記ガラスリボンに下方延伸方向において印加される力は、前記ガラスリボンの固有の直線供給速度の実際の直線供給速度からの相違を示すステップ、
を含むことを特徴とする請求項１から１１いずれか１項記載の方法。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
治療有効量のベンゾ（イソ）オキサゾールピペリジン、および治療有効量のオメガ−７脂肪酸を含む医薬組成物。
【請求項２】
前記ベンゾ（イソ）オキサゾールピペリジンが、任意に置換されたイロペリドン、任意に置換されたオカペリドン、任意に置換されたパリペリドン、任意に置換されたリスペリドン、又はこれらのいずれかの組み合わせを含む、請求項１に記載の医薬組成物。
【請求項３】
前記ベンゾ（イソ）オキサゾールピペリジンが、イロペリドン、オカペリドン、パリペリドン、リスペリドン、又はこれらのいずれかの組み合わせを含む、請求項１に記載の医薬組成物。
【請求項４】
前記ベンゾ（イソ）オキサゾールピペリジンがリスペリドンである、請求項１に記載の医薬組成物。
【請求項５】
前記オメガ−７脂肪酸が、５−ドデセン酸（１２：１）、７−テトラデセン酸、９−ヘキサデセン酸、１１−デセン酸、９Ｚ，１１Ｅ共役リノール酸、１３−エイコセン酸、１５−ドコセン酸、１７−テトラコセン酸、又はこれらのいずれかの組み合わせを含む、請求項１〜４のいずれか１項に記載の医薬組成物。
【請求項６】
前記オメガ−７脂肪酸が９Ｚ，１１Ｅ共役リノール酸である、請求項１〜５のいずれか１項に記載の医薬組成物。
【請求項７】
前記ベンゾ（イソ）オキサゾールピペリジンの治療有効量が０．１ｍｇ／日から２０ｍｇ／日である、請求項１〜６のいずれか１項に記載の医薬組成物。
【請求項８】
前記ベンゾ（イソ）オキサゾールピペリジンの治療有効量が０．０１ｍｇ／日から０．５ｍｇ／日である、請求項１〜６のいずれか１項に記載の医薬組成物。
【請求項９】
前記オメガ−７脂肪酸の治療有効量が０．１ｍｇ／日から２０ｍｇ／日である、請求項１〜８のいずれか１項に記載の医薬組成物。
【請求項１０】
前記オメガ−７脂肪酸の治療有効量が０．０１ｍｇ／日から０．５ｍｇ／日である、請求項１〜８のいずれか１項に記載の医薬組成物。
【請求項１１】
ホルモン依存性増殖性障害又はホルモン依存性非増殖性障害の治療のためであって、治療有効量のベンゾ（イソ）オキサゾールピペリジンと治療有効量のオメガ−７脂肪酸とが相乗効果を発揮する、請求項１〜１０に定義される医薬組成物の使用。
【請求項１２】
前記ホルモン依存性増殖性障害が、がん、前立腺肥大症（ＢＰＨ）、又は多嚢胞性卵巣症候群である、請求項１１に記載の使用。
【請求項１３】
前記がんが、前立腺がん、肺がん、乳がん、卵巣がん、又は睾丸がんである、請求項１２に記載の使用。
【請求項１４】
前記がんがホルモン抵抗性がんである、請求項１２に記載の使用。
【請求項１５】
前記ホルモン依存性非増殖性障害が、尋常性座瘡、脂漏症、女性多毛症、又は男性ホルモン性脱毛症である、請求項１１に記載の使用。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
エネルギー保存部（６）によって引き起こされるドアリーフ（４）の速度超過を防止する装置であって、
開放位置と閉鎖位置の間で移動可能なドアリーフ（４）と、
電気エネルギー供給の異常が発生した場合にドアリーフの閉鎖運動（ＳＢ）用のエネルギーを提供する、ドアリーフ（４）に結合されたエネルギー保存部（６）と、
ドアリーフ（４）に結合されたドア駆動部（１２）であって、ドアリーフ（４）の閉鎖運動が起こると電気エネルギーがドア駆動部（１２）内で誘発されることが可能なドア駆動部（１２）と、
ドア駆動部（１２）を起動し、ドアリーフ（４）の運動速度（Ｖ）の調整に適したドア制御部（１６）であって、電気エネルギー供給の異常が発生すると誘発電気エネルギーによって作動可能であるドア制御部（１６）と、を備える装置。
【請求項２】
ドア制御部（１６）が、電気エネルギー供給の異常が発生するとドアリーフ（４）の運動速度（Ｖ）を調整するように構築される、請求項１に記載の装置。
【請求項３】
エネルギー保存部（６）が閉鎖用バネまたは閉鎖用錘である、請求項１または２のいずれか一項に記載の装置。
【請求項４】
ドア制御部（１６）がドアリーフ（４）の起動速度（ＶＡ）を発生する場合に起動可能である、請求項１から３のいずれか一項に記載の装置。
【請求項５】
ドア制御部（１６）が、最低運動速度（ＶＭ）以上のドアリーフ（４）の運動速度（Ｖ）が発生した場合に作動可能である、請求項１から４のいずれか一項に記載の装置。
【請求項６】
ドア駆動部（１２）が電気モータ、好ましくは永久磁石モータによって形成される、請求項１から５のいずれか一項に記載の装置。
【請求項７】
エレベータドア（２）を作動させる方法であって、
電気エネルギー供給の異常が発生すると、エネルギー保存部（６）がドアリーフ（４）の閉鎖運動（ＳＢ）を行うステップと、
ドアリーフ（４）の閉鎖運動（ＳＢ）がドア駆動部（１２）内で電気エネルギーの誘発を引き起こすステップと、
電気エネルギー供給の異常が発生すると誘発電気エネルギーによってドア制御部（１６）が作動されるステップとを備える、方法。
【請求項８】
ドア制御部（１６）がドアリーフ（４）の運動速度（Ｖ）の調整を実行する、請求項７に記載の方法。
【請求項９】
ドア制御部（１６）がドアリーフ（４）の起動速度（ＶＡ）を発生する場合に起動される、請求項７および８のいずれか一項に記載の方法。
【請求項１０】
運動速度（Ｖ）の調整が、ドアリーフ（４）の加速閉鎖運動（ＳＢ）への制動を行う、請求項７から９のいずれか一項に記載の方法。
【請求項１１】
ドア制御部（１６）が、ドア制御部（１６）の作動を維持することが可能であるように、運動速度（Ｖ）の調整が最低運動速度（ＶＭ）以上になるようにする、請求項７から１０のいずれか一項に記載の方法。
【請求項１２】
請求項１から６のいずれか一項に記載の、エネルギー保存部（６）によって引き起こされたドアリーフ（４）の速度超過を防止する装置を備えたエレベータドア（２）。